(57)【要約】【課題】大型化を抑制することができる複合機を提供する。【解決手段】複合機１０は、筐体１４と、筐体１４の内部空間１６に位置しており、用紙１５を収容する収容部３１と、内部空間１６に形成されており、収容部３１から排出口２１へ反転することなく延びており、用紙１５、１７が通過する搬送路３８と、筐体１４の上面７３に形成されており用紙１７が挿入される開口８４と、一端が搬送路３８と連通し且つ他端が開口８４と連通しており、用紙１７が通過する搬送路３９と、内部空間１６において収容部３１に対して前方にオフセットした位置にあり、搬送路３８に位置する用紙１５に画像を記録する記録部３６と、内部空間１６に位置しており、開口８４から挿入されて搬送路３９に位置する用紙１７の画像を読み取る読取部３７と、を備える。【選択図】図４
2020191563.tif 000002
【特許請求の範囲】
【請求項１】
筐体と、
上記筐体の内部に位置しており、シートを収容する収容部と、
上記筐体の内部に形成されており、上記収容部から上記筐体の外面に形成された排出口へ反転することなく延びており、シートが通過する第１搬送路と、
上記筐体の上面に形成されたシートの挿入口と、
一端が上記第１搬送路と連通し且つ他端が上記挿入口と連通しており、シートが通過する第２搬送路と、
上記筐体の内部において上記収容部に対して上記上面に沿った方向にオフセットした位置にあり、上記第１搬送路に位置するシートに画像を記録する記録部と、
上記筐体の内部に位置しており、上記挿入口から挿入されて上記第１搬送路または上記第２搬送路に位置するシートの画像を読み取る読取部と、を備える複合機。
【請求項２】
上記挿入口を開放する開位置と上記挿入口を閉塞する閉位置とに移動可能に上記筐体によって支持されたカバーを備え、
上記閉位置の上記カバーは、上記上面よりも上方へ突出していない請求項１に記載の複合機。
【請求項３】
上記第２搬送路は、下方へ向かうにしたがって上記上面に沿った方向において上記排出口へ向かって延びており、
上記カバーが上記開位置のとき、上記カバーの面のうち上記挿入口へ挿入されるシートと当接可能な面は、下方へ向かうにしたがって上記上面に沿った方向において上記排出口へ向かって延びている請求項２に記載の複合機。
【請求項４】
上記筐体は、上記収容部の上方に上記収容部におけるシートの収容空間を上記筐体の外部に露出可能な開口を有しており、
上記読取部は、上記上面に沿った方向において上記開口よりも上記排出口側に位置している請求項１から３のいずれかに記載の複合機。
【請求項５】
上記筐体は、上記上面の少なくとも一部を構成しており、上記開口を開閉可能な開閉壁を備え、
上記挿入口は、上記開閉壁に形成されている請求項４に記載の複合機。
【請求項６】
上記読取部は、上記上面に沿った方向において上記記録部よりも上記収容部側に位置している請求項１から５のいずれかに記載の複合機。
【請求項７】
上記読取部は、上記収容部の上方に位置している請求項６に記載の複合機。
【請求項８】
上記筐体によって回動可能に支持されたトレイを備え、
上記トレイは、その外面が上記上面と面一となる第１位置、及び上記上面から上方へ向かうにしたがって上記上面に沿った方向において上記排出口から離れるように延びており、上記挿入口へ挿入されるシートを支持可能な第２位置に回動する請求項１から７のいずれかに記載の複合機。
【発明の詳細な説明】
【技術分野】
【０００１】
本発明は、シートに画像を記録する機能及びシートの画像を読み取る機能を有する複合機に関する。
【背景技術】
【０００２】
シートに画像を記録するプリンタと、シートの画像を読み取るスキャナの双方の機能を有する複合機が知られている。従来の複合機は、特許文献１に開示されているように、下部にプリンタが位置しており、上部にスキャナが位置している。
【０００３】
また、従来のプリンタは、下部に画像が記録されるシートの収容部が位置しており、収容部の直上にシートに画像を記録する記録部が位置している。記録部は、例えば、特許文献１に開示されたインクジェット方式のプリンタの場合はノズルを備えたヘッド、電子写真方式のプリンタの場合はトナーカートリッジ、ドラムユニット、及び定着器である。
【先行技術文献】
【特許文献】
【０００４】
【特許文献１】特開２０１５−１２４０７９号公報
【発明の概要】
【発明が解決しようとする課題】
【０００５】
上述したように、従来の複合機では、下から順に、プリンタのシートの収容部、プリンタの記録部、スキャナが設けられている。そのため、複合機の上下のサイズが大きくなってしまっていた。
【０００６】
本発明は、前述された事情に鑑みてなされたものであり、その目的は、大型化を抑制することができる複合機を提供することにある。
【課題を解決するための手段】
【０００７】
(1)  本発明に係る複合機は、筐体と、上記筐体の内部に位置しており、シートを収容する収容部と、上記筐体の内部に形成されており、上記収容部から上記筐体の外面に形成された排出口へ反転することなく延びており、シートが通過する第１搬送路と、上記筐体の上面に形成されたシートの挿入口と、一端が上記第１搬送路と連通し且つ他端が上記挿入口と連通しており、シートが通過する第２搬送路と、上記筐体の内部において上記収容部に対して上記上面に沿った方向にオフセットした位置にあり、上記第１搬送路に位置するシートに画像を記録する記録部と、上記筐体の内部に位置しており、上記挿入口から挿入されて上記第１搬送路または上記第２搬送路に位置するシートの画像を読み取る読取部と、を備える。
【０００８】
収容部と記録部が互いに上面に沿った方向にオフセットした位置に設けられているため、収容部の上に記録部が位置する構成に比べて複合機の高さを抑えることができる。
【０００９】
挿入口から挿入されるシート（画像が読み取られるシート）は、収容部に収容されたシート（画像が記録されるシート）の第１搬送路を通る。これにより、画像が読み取られるシートの搬送路と、画像が記録されるシートの搬送路とが完全に独立した構成に比べて複合機の高さを抑えることができる。
【００１０】
仮に挿入口が筐体の側面に形成されている場合、挿入口の分だけ側面が上下に長くなり、複合機が上下に長くなってしまう。本構成では、挿入口が筐体の上面に形成されているため、挿入口が筐体の側面に形成されている構成に比べて複合機の高さを抑えることができる。
【発明の効果】
【００１１】
本発明によれば、複合機の大型化を抑制することができる。
【図面の簡単な説明】
【００１２】
【図１】図１は、複合機１０の斜視図である。
【図２】図２は、複合機１０の内部構造を模式的に示す縦断面図であり、開閉壁８２が被覆位置、開閉壁８７が起立位置、カバー８５が閉位置の状態が示されている。
【図３】図３は、複合機１０の内部構造を模式的に示す縦断面図であり、開閉壁８２が露出位置、開閉壁８７が起立位置、カバー８５が閉位置の状態が示されている。
【図４】図４は、複合機１０の内部構造を模式的に示す縦断面図であり、開閉壁８２が被覆位置、開閉壁８７が起立位置、カバー８５が開位置の状態が示されている。
【図５】図５は、複合機１０の内部構造を模式的に示す縦断面図であり、開閉壁８２が被覆位置、開閉壁８７が倒伏位置、カバー８５が閉位置の状態が示されている。
【図６】図６は、複合機１０の内部構造を模式的に示す縦断面図であり、開閉壁８２が露出位置、開閉壁８７が倒伏位置、カバー８５が閉位置の状態が示されている。
【図７】図７は、開閉壁８２が着脱可能に構成された複合機１０の内部構造を模式的に示す縦断面図である。
【図８】図８は、開閉壁８２がスライド可能に構成された複合機１０の内部構造を模式的に示す縦断面図である。
【図９】図９は、連結部材９２を備えた複合機１０の内部構造を模式的に示す縦断面図である。
【図１０】図１０は、カバー９７を備えた複合機１０の内部構造を模式的に示す縦断面図である。
【図１１】図１１は、トレイ９８を備えた複合機１０の内部構造を模式的に示す縦断面図である。
【発明を実施するための形態】
【００１３】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、排出口２１が設けられている面を前面７１として前後方向８が定義され、複合機１０を前方から視て左右方向９が定義される。上下方向７、前後方向８、及び左右方向９は互いに直交している。本実施形態において、上下方向７は鉛直方向であり、前後方向８及び左右方向９は水平方向である。
【００１４】
複合機１０は、用紙１５（シートの一例、図２参照）に画像を記録する機能と、用紙１７（シートの一例、図４参照）上の画像を読み取る機能とを有している。図１及び図２に示されるように、複合機１０は、筐体１４を備えている。筐体１４は、概ね直方体の箱形状である。筐体１４の前後方向８及び左右方向９の長さは、筐体１４の上下方向７の長さより長い。筐体１４の前後方向８の長さは、筐体１４の左右方向９の長さより短い。なお、筐体１４の各方向の長短関係は、前記の関係に限らない。例えば、筐体１４の左右方向９の長さが、筐体１４の前後方向８の長さより短くてもよい。
【００１５】
筐体１４の外面は、前面７１、後面７２、上面７３、下面７４、右面７５、及び左面７６を備えている。
【００１６】
前面７１には、排出口２１が形成されている。筐体１４の内部空間１６において画像を記録された用紙１５または画像を読み取られた用紙１７が、排出口２１を通じて筐体１４の外部へ排出される。
【００１７】
図１に示されるように、前面７１には、複合機１０を起動・停止させる電源スイッチ１８や、各種ＬＥＤ１９などが設けられている。
【００１８】
筐体１４の上面７３は、筐体１４の上壁８１の上面と、筐体１４の開閉壁８２の上面とによって構成されている。上壁８１は、筐体１４の前上部を構成する壁である。開閉壁８２は、筐体１４の後上部を構成する壁である。本実施形態において、開閉壁８２は筐体１４の右端から左端に亘って設けられているが、開閉壁８２は筐体１４の右端から左端に亘っていなくてもよい。
【００１９】
図２に示されるように、開閉壁８２は、上壁８１によって回動可能に支持されている。開閉壁８２は、その後端部に設けられた左右方向９に延びる軸８３を中心として、図１及び図２に示される被覆位置と、図３に示される露出位置とに回動可能である。図２に示されるように、開閉壁８２が被覆位置のとき、後述する収容部３１は上方から開閉壁８２に覆われている。図３に示されるように、開閉壁８２が露出位置のとき、収容部３１は筐体１４の上方から外部へ露出されている。
【００２０】
図１及び図２に示されるように、筐体１４の上面７３（本実施形態では開閉壁８２の上面）に、開口８４（挿入口の一例）が形成されている。なお、開口８４は、開閉壁８２の上面ではない上壁８１の上面７３に形成されていてもよい。開口８４は、後述する搬送路３９と連通している。用紙１７が、開口８４を通じて搬送路３９へ挿入される（図４参照）。開口８４は、用紙１７が挿入可能なように、用紙１７に合わせて左右方向９に長く形成されている。
【００２１】
カバー８５が、開閉壁８２によって回動可能に支持されている。カバー８５は、その後端部に設けられた左右方向９に延びる軸８６を中心として、図２に示される閉位置と、図４に示される開位置とに回動可能である。図２に示されるように、カバー８５が閉位置のとき、開口８４は閉塞されている。図４に示されるように、カバー８５が開位置のとき、開口８４は開放されている。
【００２２】
カバー８５が閉位置のときに、カバー８５の外面のうち上方を向く面８５１は、開閉壁８２の上面７３と面一である。なお、カバー８５が閉位置のとき、面８５１は、開閉壁８２の上面７３と面一でなくてもよいが、面８５１は上面７３より下方に位置している（つまり、上面７３より上方へ突出していない）ことが好ましい。
【００２３】
図４に示されるように、カバー８５が開位置のときに、カバー８５の外面のうち前方を向く面８５２は、下方へ向かうにしたがって前方へ向かって（つまり排出口２１へ向かって）延びている。つまり、開位置のカバー８５の面８５２は、その上端から前方斜め下方へ延びている。開位置のカバー８５の面８５２は、開口８４へ挿入される用紙１７と当接可能である。
【００２４】
なお、カバー８５は、その上端から前方斜め下方以外へ延びていてもよい。また、複合機１０は、カバー８５を備えていなくてもよい。
【００２５】
図２に示されるように、筐体１４の後面７２には、開閉壁８７が設けられている。開閉壁８７は、筐体１４の他の部分によって回動可能に支持されている。開閉壁８７は、その下端部に設けられた左右方向９に延びる軸８８を中心として、図２に示される起立位置と、図５に示される倒伏位置とに回動可能である。
【００２６】
図２に示されるように、開閉壁８７が起立位置のとき、収容部３１は後方から開閉壁８７に覆われている。図５に示されるように、開閉壁８７が倒伏位置のとき、収容部３１は筐体１４の後方から外部に露出されている。
【００２７】
なお、複合機１０は、開閉壁８７を備えていなくてもよい。つまり、筐体１４の後面７２は、開閉可能でなくてもよい。この場合、後述する開口４２が後面７２に形成されないことは言うまでもない。
【００２８】
筐体１４は、内部空間１６を有している。内部空間１６は、筐体１４の内面によって区画されている。筐体１４の内部空間１６に、収容部３１、給送部３３、搬送ローラ対３４、排出ローラ対３５、記録部３６、プラテン２７、及び読取部３７が配置されている。筐体１４の内部空間１６に、搬送路３８、３９が形成されている。
【００２９】
収容部３１は、上方に開放された箱形状である。収容部３１の前後方向８及び左右方向９の長さは、収容部３１の上下方向７の長さより長い。収容部３１の前後方向８の長さは、収容部３１の左右方向９の長さより短い。なお、収容部３１の各方向の長短関係は、前記の関係に限らない。例えば、収容部３１の左右方向９の長さが、収容部３１の前後方向８の長さより短くてもよい。
【００３０】
収容部３１は、用紙１５の収容空間８９を有している。収容部３１は、筐体１４に固定されている。収容空間８９は、底面７７、開閉壁８７の前面、筐体１４の右内面７８、筐体１４の左内面（右内面７８と左右に対向する面、不図示）、及び傾斜壁３２によって区画されている。収容部３１は、その内部に用紙１５を上下に重ねて収容可能である。
【００３１】
図３に示されるように、開閉壁８２が露出位置のとき、収容空間８９が開口４０を通じて筐体１４の外部に露出される。これにより、用紙１５が、収容部３１の上方から開口４０を通じて収容部３１に対して出し入れ可能となる。開口４０は、収容部３１における上方に開放された部分のうち、他の部材（本実施形態では、給送部３３）が配置されていない部分である。具体的には、図２において、収容部３１における上方に開放された部分のうち、破線で示された前後の位置Ｐ１よりも後方の部分である。
【００３２】
図２に示されるように、開閉壁８２が被覆位置のとき、収容空間８９及び開口４０は上方から開閉壁８２に覆われて筐体１４の外部に対して閉塞されている。つまり、開閉壁８２は、開口４０を開閉可能である。
【００３３】
図５に示されるように、開閉壁８７が倒伏位置のとき、収容空間８９が後面７２に形成された開口４２を通じて筐体１４の外部に露出される。これにより、収容部３１は、底面７７よりも前後に長い用紙１５の前部のみを底面７７に支持させて、当該用紙１５の後部を筐体１４の外部に位置させることができる。その結果、底面７７よりも前後に長い用紙１５が収容部３１から搬送路３８へ給送可能となり、当該用紙１５に画像を記録することが可能となる。
【００３４】
なお、本実施形態では、開閉壁８７が起立位置のとき、開閉壁８７の後面が、筐体１４の後面７２に相当する。開閉壁８７が倒伏位置のとき、筐体１４を後方から視て開口４２を区画している面が、筐体１４の後面７２に相当する。
【００３５】
図２に示されるように、開閉壁８７が起立位置のとき、収容空間８９及び開口４２は後方から開閉壁８７に覆われて筐体１４の外部に対して閉塞されている。
【００３６】
図６に示されるように、開閉壁８２が露出位置且つ開閉壁８７が倒伏位置のとき、開口４０は、開口４２と連続している。なお、開口４０は、開口４２と連続していなくてもよい。
【００３７】
図２に示されるように、傾斜壁３２は、収容部３１の前端部に位置している。換言すると、傾斜壁３２は、収容部３１と搬送路３８の境界部に位置している。傾斜壁３２は、底面７７から上方へ突出している。傾斜壁３２は、上方へ向かうにしたがって前方へ向かって延びている。つまり、傾斜壁３２は、上下方向７に対して傾斜している。
【００３８】
傾斜壁３２には、分離部が設けられている。本実施形態において、分離部は、傾斜壁３２の後面９０における左右方向９の中央部から突出した分離片９１である。分離片９１は、上下に間隔を空けて複数設けられている。なお、分離部は、上述した構成に限らない。例えば、複数の分離片９１の代わりに摩擦係数が後面９０よりも高い部材（例えばコルク）が配置されてもよい。
【００３９】
給送部３３は、底面７７の上方の所定空間４１に位置している。所定空間４１は、複合機１０を上方から見た平面視において、開口４０の前方に位置しており且つ開口４０と連続した空間である。つまり、所定空間４１は、前後方向８において、開口４０と排出口２１の間に位置している。所定空間４１は、給送部３３より前方（用紙１５が給送される給送向きの下流）にまで拡がっている。つまり、給送部３３の全体が所定空間４１に位置している。図３に示されるように、開閉壁８２が露出位置のとき、開口４０に加えて所定空間４１が筐体１４の外部に露出される。このとき、給送部３３より前方の空間まで露出されるため、ユーザは上方から所定空間４１における給送部３３より前方の空間にアクセスすることができる。
【００４０】
読取部３７の後部も、所定空間４１に位置している。
【００４１】
なお、開閉壁８２が露出位置のときに、給送部３３は、読取部３７と同様に、全体ではなく一部のみが筐体１４の外部に露出していてもよい。例えば、開閉壁８２が露出位置のときに、給送部３３のうち給送ローラ２５の後方を向く面が筐体１４の外部に露出する一方で、給送部３３のうち給送ローラ２５の前方を向く面が筐体１４の外部に露出しなくてもよい。つまり、給送ローラ２５の前方を向く面は、開閉壁８２の位置にかかわらず、筐体１４によって被覆されていてもよい。また、例えば、開閉壁８２の位置にかかわらず、給送部３３の全体が、筐体１４によって被覆されていてもよい。
【００４２】
また、読取部３７の全体が、所定空間４１に位置していてもよい。また、給送部３３及び読取部３７以外の部材が、所定空間４１に位置していてもよい。
【００４３】
図２に示されるように、給送部３３は、給送ローラ２５、給送アーム２６、及び軸２８を備えている。給送ローラ２５は、給送アーム２６の先端部で回転可能に支持されている。給送アーム２６は、基端部に設けられた軸２８を中心として回動する。これにより、給送ローラ２５は、底面７７または底面７７に支持された用紙１５に対して、当接及び離間が可能である。
【００４４】
給送ローラ２５は、給送用モータ（不図示）の駆動力が伝達されて回転する。これにより、底面７７に支持された複数の用紙１５が前方へ送られる。前方へ送られた複数の用紙１５は、分離片９１に当接する。これにより、複数の用紙１５のうちの最上の用紙１５が他の用紙１５から分離されて傾斜壁３２の後面９０に沿って搬送路３８へ給送される。
【００４５】
搬送路３８（第１搬送路の一例）は、筐体１４の内部空間１６に配置された不図示のガイド部材、搬送ローラ対３４、排出ローラ対３５、記録部３６、及びプラテン２７によって区画された空間である。搬送路３８は、給送部３３によって給送された用紙１５が通過する経路である。搬送路３８は、収容部３１の前端（換言すると、傾斜壁３２の上端）から反転することなく前方へ延びて排出口２１へ至っている。
【００４６】
搬送路３８は反転することなく延びていればよい。つまり、搬送路３８は、図２のような真っ直ぐ前方へ延びた経路に限らない。例えば、搬送路３８は、前方へ向かうにしたがって上方へ向かって延びていてもよい。この場合、排出口２１は、前面７１ではなく上面７３に設けられることもあり得る。つまり、排出口２１が設けられる位置は、前面７１に限らない。また、例えば、搬送路３８は、上方や下方へ湾曲する部分を有していてもよい。
【００４７】
搬送路３９（第２搬送路の一例）は、筐体１４の内部空間１６に配置された不図示のガイド部材、及び読取部３７によって区画された空間である。搬送路３９は、開口８４を通じて挿入された用紙１７（図４参照）が通過する経路である。搬送路３９は、開口８４から下方へ向かうにしたがって前方へ向かって（つまり排出口２１へ向かって）延びている。つまり、搬送路３９は、開口８４から前方斜め下方へ延びている。なお、搬送路３９は、開口８４から前方斜め下方以外の方向へ延びていてもよい。
【００４８】
搬送路３９の一端は、合流位置Ｐ２において搬送路３８と合流している。搬送路３９の他端は、開口８４と連通している。つまり、開口８４を通じて挿入された用紙１７は、搬送路３９を通過した後、搬送路３８を通過する。すなわち、搬送路３８は、給送部３３によって給送された用紙１５が通過する経路であると共に、開口８４を通じて挿入された用紙１７が通過する経路でもある。
【００４９】
搬送ローラ対３４は、搬送路３８に配置されている。搬送ローラ対３４は、搬送ローラ６１及びピンチローラ６２よりなる。ピンチローラ６２は、ばねなどの弾性部材（不図示）によって搬送ローラ６１に圧接されている。これにより、搬送ローラ対３４は、用紙１５、１７を挟持可能である。
【００５０】
排出ローラ対３５は、搬送路３８における搬送ローラ対３４よりも前方（用紙１５、１７の搬送方向の下流）に配置されている。排出ローラ対３５は、排出ローラ６４及び拍車６５よりなる。拍車６５は、ばねなどの弾性部材（不図示）によって排出ローラ６４に圧接されている。これにより、排出ローラ対３５は、用紙１５、１７を挟持可能である。
【００５１】
搬送ローラ６１及び排出ローラ６４は、搬送モータ（不図示）の駆動力が伝達されることによって駆動される。駆動力が伝達された搬送ローラ６１は、ピンチローラ６２との間に用紙１５、１７を挟持しつつ前方（搬送方向）へ搬送する。駆動力が伝達された排出ローラ６４は、拍車６５との間に用紙１５、１７を挟持しつつ前方（搬送方向）へ搬送する。
【００５２】
記録部３６は、内部空間１６に位置している。記録部３６は、搬送路３８における搬送ローラ対３４及び排出ローラ対３５の間に位置している。記録部３６は、収容部３１より前方に位置する。換言すると、記録部３６は、収容部３１に対して前方（上面７３に沿った方向）にオフセットした位置にある。記録部３６は、収容部３１及び傾斜壁３２より上方に位置する。
【００５３】
本実施形態において、記録部３６は、インクジェット方式によって、搬送路３８を搬送される用紙１５に画像を記録する。なお、記録部３６が用紙１５に画像を記録する方式は、インクジェット方式に限らず、電子写真方式などの他の方式であってもよい。
【００５４】
プラテン２７は、記録部３６の下方に記録部３６と対向して設けられている。プラテン２７は、搬送路３８を搬送される用紙１５、１７を支持する。
【００５５】
読取部３７は、内部空間１６の搬送路３９に位置している。読取部３７は、記録部３６より後方に位置している。読取部３７は、開口８４より前方に位置している。つまり、読取部３７は、前後方向８において、開口８４より排出口２１側であって開口８４と記録部３６の間に位置している。読取部３７は、収容部３１及び傾斜壁３２より上方に位置する。本実施形態において、読取部３７は、収容部３１の真上に位置する。読取部３７は、開口８４を通じて挿入されて搬送路３９に位置する用紙１７に記録された画像をイメージセンサによって読み取って画像データを取得する。
【００５６】
［実施形態の効果］
収容部３１と記録部３６が互いに前後方向８にオフセットした位置に設けられているため、収容部３１の上に記録部３６が位置する構成に比べて複合機１０の高さを抑えることができる。
【００５７】
開口８４から挿入される用紙１７（画像が読み取られる用紙）は、収容部３１に収容された用紙１５（画像が記録される用紙）と同様、搬送路３８を通る。これにより、画像が読み取られる用紙の搬送路と、画像が記録される用紙の搬送路とが完全に独立した構成に比べて複合機１０の高さを抑えることができる。
【００５８】
仮に開口８４が筐体１４の側面に形成されている場合、開口８４の分だけ側面が上下に長くなり、複合機１０が上下に長くなってしまう。本実施形態では、開口８４が筐体１４の上面７３に形成されているため、開口８４が筐体１４の側面に形成されている構成に比べて複合機１０の高さを抑えることができる。
【００５９】
閉位置のカバー８５が上面７３よりも上方へ突出していないため、複合機１０の高さを抑えることができる。また、上面７３の上に他の物を置き易い。
【００６０】
開位置のカバー８５が前方斜め下方へ延びているため（図４参照）、開位置のカバー８５によって用紙１７を搬送路３９に沿って円滑に案内することができる。
【００６１】
読取部３７が開口４０より前方に位置しているため、開口４０を通じた収容部３１に対する用紙１５の出し入れが読取部３７によって阻害されることを防止できる。
【００６２】
開口８４が開閉壁８２に形成されているため、前後方向８において開口８４と読取部３７の間に所定の間隔を設けることができる。そのため、当該間隔に搬送路３９を形成することができる。
【００６３】
読取部３７が記録部３６より後方に位置するため、記録部３６による用紙１５への画像記録によって用紙１５に付着したインクやトナーなどの記録部材が読取部３７に付着することを防止できる。
【００６４】
読取部３７は収容部３１の上方に位置しているため、読取部３７と記録部３６を同じ高さに配置できる。そのため、読取部３７が記録部３６の上方に位置する構成よりも、複合機１０の高さを抑えることができる。また、収容部３１と読取部３７が前後方向８においてオフセットされて配置された構成よりも、複合機１０の前後方向８における大型化を抑制できる。
【００６５】
［変形例］
上記実施形態では、読取部３７は搬送路３９に位置しており、収容部３１の真上に位置していたが、読取部３７の位置はこのような位置に限らない。例えば、読取部３７は搬送路３８に位置していてもよい。この場合、読取部３７は、記録部３６より後方（合流位置Ｐ２と記録部３６の間）に位置していてもよいし、記録部３６より前方（記録部３６と排出口２１の間）に位置していてもよい。この場合、読取部３７は、収容部３１より前方に位置するため、収容部３１の真上に位置していない。
【００６６】
上記実施形態では、開閉壁８２は、回動によって被覆位置及び露出位置に移動していたが、回動以外によって被覆位置及び露出位置に移動してもよい。
【００６７】
例えば、図７に示されるように、開閉壁８２は、筐体１４に対して着脱可能であってもよい。この場合、開閉壁８２は、図７に破線で示されるように筐体１４に装着されたときに被覆位置であり、図７に実線で示されるように筐体１４から取り外されたときに露出位置である。
【００６８】
また、例えば、図８に示されるように、開閉壁８２は、筐体１４によって前後にスライド可能に支持されていてもよい。この場合、開閉壁８２は、図８に破線で示される位置のときに被覆位置であり、図８に実線で示される位置（被覆位置から後方へスライドした位置）のときに露出位置である。なお、開閉壁８２のスライド方向は前後に限らず、例えば開閉壁８２は筐体１４によって左右、上下、斜め上方などにスライド可能に支持されていてもよい。
【００６９】
また、例えば、図９に示されるように、開閉壁８２は、連結部材９２を介して筐体１４の他の部分（図９では、筐体１４の側壁９３）と連結されていてもよい。
【００７０】
連結部材９２は、筐体１４の右上端部及び左上端部の各々に、前後に間隔を空けて２個ずつ設けられている。なお、連結部材９２の数は、前記に限らない。
【００７１】
連結部材９２の一端部は、側壁９３と連結されている。連結部材９２の他端部は、開閉壁８２と連結されている。連結部材９２は、側壁９３に対して左右方向９に延びた軸９４を中心に回動可能であり、開閉壁８２に対して左右方向９に延びた軸９５を中心に回動可能である。
【００７２】
開閉壁８２は、図９に破線で示される位置のときに被覆位置である。このとき、連結部材９２は、前後に延びている。連結部材９２が矢印９６の方向に回動することによって、開閉壁８２が筐体１４の他の部分に対して持ち上がり、図９に実線で示される露出位置となる。露出位置の開閉壁８２は、被覆位置の開閉壁８２に対して前方及び上方にオフセットされた位置にある。
【００７３】
なお、図９に示される構成では、連結部材９２が左右方向に延びた軸を中心に回動するように構成されているために、露出位置の開閉壁８２は、被覆位置の開閉壁８２に対して前方及び上方にオフセットされた位置にあったが、これに限らない。例えば、連結部材９２が前後方向に延びた軸を中心に回動するように構成されており、露出位置の開閉壁８２が、被覆位置の開閉壁８２に対して左右方向及び上方にオフセットされた位置にあってもよい。
【００７４】
開閉壁８２と同様に、カバー８５も、回動以外によって閉位置及び開位置に移動してもよいし、開閉壁８７も、回動以外によって起立位置及び倒伏位置に移動してもよい。
【００７５】
上記実施形態では、図１に示されるように、筐体１４の上面７３は、筐体１４の上壁８１の上面と、筐体１４の開閉壁８２の上面とによって構成されていた。
【００７６】
しかし、筐体１４の上面７３は、開閉壁８２の上面のみによって構成されていてもよい。つまり、筐体１４は、上壁８１を備えていなくてもよい。すなわち、開閉壁８２は、筐体１４の上面７３の少なくとも一部を構成している。
【００７７】
逆に、筐体１４の上面７３は、上壁８１の上面のみによって構成されていてもよい。つまり、筐体１４は、開閉壁８２を備えていなくてもよい。
【００７８】
所定空間４１に位置する部材の少なくとも一部を覆うカバーが設けられていてもよい。例えば、図１０に示されるように、給送部３３及び読取部３７を上方から覆うカバー９７が設けられていてもよい。カバー９７は、開閉壁８２が露出位置のときに、所定空間４１に位置する部材（図１０では給送部３３及び読取部３７）にユーザが直接触れることを防止可能な位置に設けられる。一方、カバー９７は、当該部材の機能の発揮を妨げる位置には設けられてない。例えば、給送ローラ２５の周面のうち下方を向く面は用紙１５と当接する必要があるため、カバー９７は当該下方を向く面を覆わない。
【００７９】
図１１に示されるように、複合機１０は、筐体１４によって回動可能に支持されたトレイ９８を備えていてもよい。トレイ９８は、開口８４の後方に位置している。トレイ９８は、その前端部に設けられた左右方向９に延びる軸９９を中心として、図１１に破線で示される第１位置と、図１１に実線で示される第２位置とに回動可能である。
【００８０】
トレイ９８が第１位置のとき、トレイ９８の上面９８１は、筐体１４の上面７３と面一である。トレイ９８が第２位置のとき、トレイ９８の上面９８１は、上面７３から上方へ向かうにしたがって後方へ向かって（つまり前後方向８において排出口２１から離れるように）延びている。トレイ９８が第２位置のとき、トレイ９８の上面９８１は、開口８４へ挿入される用紙１７を支持可能である。
【００８１】
なお、図１１では、開閉壁８２の軸８３は開閉壁８２の前端部に設けられているが、軸８３は図２などと同様に開閉壁８２の後端部に設けられていてもよい。また、図１１では、トレイ９８は開閉壁８２の代わりに設けられており、トレイ９８が開閉壁８２の機能（収容部３１を外部に露出させる機能）を有している。しかし、トレイ９８は、開閉壁８２に加えて設けられていてもよい。例えば、トレイ９８は、開閉壁８２によって回動可能に支持されていてもよい。
【００８２】
図１１に示された構成によれば、第２位置のトレイ９８が開口８４へ挿入される用紙１７を支持するため、用紙１７の開口８４への挿入時にユーザが当該用紙１７を把持する必要がない。
【００８３】
上記実施形態では、収容部３１は筐体１４に固定されていたが、収容部３１は筐体１４に固定されていなくてもよい。
【００８４】
例えば、上記実施形態において収容部３１の一部は筐体１４の壁によって構成されているが、収容部３１は筐体１４とは完全に別部材で構成されており、筐体１４と別部材で構成された収容部３１が移動（例えば前後へスライド）することによって、収容空間８９が筐体１４の外部に露出されてもよい。この場合、収容部３１を筐体１４の上方から外部へ露出させることが必ずしも必要でなくなるため、開閉壁８２は設けられていなくてもよい。
【００８５】
上記実施形態では、給送部３３は、給送アーム２６と、給送アーム２６の先端に回転可能に支持された給送ローラ２５とを備えていた。そして、収容部３１に収容されている用紙１５は、傾斜壁３２に沿って給送され、分離片９１によって最上の用紙１５が他の用紙１５から分離されていた。しかし、用紙１５が給送される構成は、給送アーム２６、給送ローラ２５、傾斜壁３２、及び分離片９１を備えた構成に限らない。例えば、収容部３１の前端部（収容部３１と搬送路３８の境界部）の上端部に、給送ローラが設けられており、底面７７がバネなどによって上方に付勢されていてもよい。この場合、底面７７に支持された用紙１５のうち最上の用紙１５が下方から当該給送ローラに当接し、最上の用紙１５が給送ローラによって給送される。
【符号の説明】
【００８６】
１０・・・複合機
１４・・・筐体
１５・・・用紙（シート）
１７・・・用紙（シート）
２１・・・排出口
３１・・・収容部
３６・・・記録部
３７・・・読取部
３８・・・搬送路（第１搬送路）
３９・・・搬送路（第２搬送路）
７３・・・上面
８４・・・開口（挿入口）
【図１】
2020191563.tif 000003
【図２】
2020191563.tif 000004
【図３】
2020191563.tif 000005
【図４】
2020191563.tif 000006
【図５】
2020191563.tif 000007
【図６】
2020191563.tif 000008
【図７】
2020191563.tif 000009
【図８】
2020191563.tif 000010
【図９】
2020191563.tif 000011
【図１０】
2020191563.tif 000012
【図１１】
2020191563.tif 000013